(57)【特許請求の範囲】
【請求項１】
少なくとも１つのＬＥＤを照明用光源として有する回路基板の製造方法であって：
前記回路基板を構成する回路基板基材の一主面上に、前記ＬＥＤ用の設置面及び該設置面に隣接するボンディング面を含む導体層を形成するステップ；
前記設置面および前記ボンディング面を除いて、前記導体層上にはんだマスクをコーティングするステップ；
前記はんだマスク上に、絶縁層を含む積層構造を印刷により形成するステップであって、前記積層構造は、前記設置面の縁から前記一主面に対してほぼ垂直に立ち上がる側壁と、前記一主面に対してほぼ平行に延在する頂面と、該頂面から前記側壁の方に傾斜して前記側壁に繋がる傾斜面とを有するように形成される、ステップ；
前記積層構造の前記傾斜面と前記頂面の少なくとも一部との上に反射コーティングを印刷により形成するステップ；ならびに
前記設置面に前記ＬＥＤを備えるステップ；
を有し、
前記反射コーティングは、前記ＬＥＤが発する光に対するリフレクタ面として機能して前記光をフォーカシングする、
製造方法。
【請求項２】
前記積層構造の前記傾斜面は曲面を形成することを特徴とする、請求項１に記載の製造方法。
【請求項３】
前記反射コーティングは、印刷された後に、電解研磨又は湿式化学的処理により平滑化されることを特徴とする、請求項１又は２に記載の製造方法。
【請求項４】
前記反射コーティングの面は、ポジ（凸状）形状又はネガ（凹状）形状に曲面化されることを特徴とする、請求項１乃至３の何れか一項に記載の製造方法。
【請求項５】
前記反射コーティングは曲面を形成する、請求項１乃至３の何れか一項に記載の製造方法。
【請求項６】
少なくとも前記ＬＥＤが色変換層により覆われることを特徴とする、請求項１乃至５の何れか一項に記載の製造方法。
【請求項７】
複数のＬＥＤの各々が別個の色変換層により覆われることを特徴とする、請求項１乃至６の何れか一項に記載の製造方法。
【請求項８】
少なくとも１つのＬＥＤを照明用光源として有する回路基板であって：
前記回路基板を構成する回路基板基材の一主面上の、前記ＬＥＤ用の設置面及び該設置面に隣接するボンディング面を含む導体層；
前記設置面および前記ボンディング面を除く前記導体層上のはんだマスク；
前記はんだマスク上の、絶縁層を含む積層構造であって、前記設置面の縁から前記一主面に対してほぼ垂直に立ち上がる側壁と、前記一主面に対してほぼ平行に延在する頂面と、該頂面から前記側壁の方に傾斜して前記側壁に繋がる傾斜面とを有する、積層構造；
前記積層構造の前記傾斜面と前記頂面の少なくとも一部との上の反射コーティング；ならびに
前記設置面上の前記ＬＥＤ；
を有し、
前記反射コーティングは、前記ＬＥＤが発する光に対するリフレクタ面として機能して前記光をフォーカシングする、
回路基板。
【発明の詳細な説明】
【技術分野】
【０００１】
本発明は、回路基板の導体に電導的に接続された少なくとも１つのＬＥＤを有する、照明目的で光源を有する回路基板であって、その光源の光は、回路基板に備えられた少なくとも１つのミラーにより方向付けられる光に変換され、そのミラーは、回路基板に印刷された反射コーティングとして設計されていることを特徴とする、回路基板に関する。
【背景技術】
【０００２】
単純な回路基板は、１つ又は２つの銅の層が塗布された電気絶縁性のコア材料（下地材料）を有する。その層の厚さは通常、３５μｍであり、より大きい電流を伴うアプリケーションについては、７０乃至１４０μｍの範囲内にある。
【０００３】
特定のアプリケーションについては、他の材料、例えば、高周波技術のためのＬＴＣＣ及びＨＴＣＣにおけるセラミック又はテフロン（登録商標）、並びにフレキシブルな回路基板のためのポリエステル等も用いられることが可能である。最近の開発により、基材としてガラスも用いられ、放熱についての大きい要請を満たす回路基板のために、金属コアを有する基材が、例えば、高性能のＬＥＤを用いる照明技術の分野で用いられている。
【０００４】
一部の回路基板のアプリケーション、特に、複数のＬＥＤが備えられた回路基板においては、リフレクタとして又は光を方向付けるように、ミラーが必要である。同様に、一部の場合には、特定の光ビーム、例えば、可視光が回路基板から発せられることも望ましいことである。例えば、はんだマスクを有する、白色光を有する複数のＬＥＤが備えられた回路基板のリフレクタ面が形成されることが現在、知られている。この種の白色はんだマスクペーストは、しかしながら、反射性が低く、曲面化されたミラー面が光を方向付ける又はフォーカシングするように望まれるときに成形することは困難である。更に、特定の放射線応答は最適でなく、ＵＶ範囲の反射性は低い。
【０００５】
銀がこの種の反射目的で用いられるとき、不所望のデンドライドの成長の問題が生じる。この理由のために、銀は回路基板業界ではあまり用いられない。
【発明の概要】
【発明が解決しようとする課題】
【０００６】
従って、本発明の目的は、高効率を有する所望の光を生成することが可能であるリフレクタを回路基板上に備えることである。同様に、本発明の目的は、反射コーティングを有する回路基板の新規な製造方法を提供することである。
【課題を解決するための手段】
【０００７】
上記の目的を達成するように、本発明は、請求項１の技術的教示により特徴付けられる。
【０００８】
光を反射する、従来の回路基板の上部面上に（特に、エポキシ樹脂及びはんだマスク上に又はＦＲ４回路基板の上部面上に）、印刷された層が備えられることは重要である。
【０００９】
特に平滑なミラー面を得るように、先ず、下地層が回路基板の基材上に印刷される。この種の下地層は、例えば、放物線形状のミラーを得るように、形状が三次元的であることも可能である。反射層を保護するように更に、反射面に透明な保護コーティングがコーティングされる。
【００１０】
本発明の更なる実施形態においては、次の事項が提供される。積層処理においては、凹部が、特に設計された加圧プレートにより銅の面に形成される。続いて、銅の面は、直流電通法により又は電気化学的に適切な表面が与えられることが可能である。そのような鎮静は透明な高分子により与えられる。
【００１１】
代替として、酸化物層及び／又は窒化物層を有する貴金属の面が用いられることが可能である。これは、その場合、所謂“青色”剥離可能ラッカーにより保護されることが可能であり、続いて、組み立て処理後に剥離されることが可能である。
【００１２】
本発明の主題は、個別の請求項の主題ばかりでなく、個別の請求項の組み合わせからもたらされるものである。
【００１３】
全ての情報及び特徴、特に、図に示され、明細書に開示されている空間的な設計は、それらが従来技術に対して個別に又は組み合わされて新規性を有する限り、本発明の原理として権利が主張されることができる。
【００１４】
次に、本発明について、１つの実行手段のみを示す図に基づいて、詳細に説明される。このために、本発明の基本的な更なる特徴及び本発明の有利点が、図及び詳細説明から導出されることが可能であるである。
【図面の簡単な説明】
【００１５】
【図１】リフレクタが備えられた回路基板の第１の実施形態の断面図である。
【図２】リフレクタの構成の拡大断面図である。
【図３】ＬＥＤを受け入れる開口及びリフレクタを有する修正された実施形態である。
【図４】回路基板の基本的構成の断面図である。
【図５】ＬＥＤ及びリフレクタ面の受け入れのための更なる処理の前の、電気的観点から完全に組み立てられた回路基板の長手方向の断面図である。
【図６】図５の構成の平面図である。
【図７】反射コーティングが塗布される印刷処理の例示を伴う図５断面図と同じ断面図である。
【図８】図７の構成の平面図である。
【図９】印刷される反射コーティングが絶縁性の誘電体インクにより層に塗布される図７に関連して修正された実施形態である。
【図１０】図９の構成の平面図である。
【図１１】図９の処理ステップに続く他の処理ステップを示す図である。
【図１２】図１１の構成の平面図である。
【図１３】図１１の処理ステップに続く最終的な処理ステップである。
【図１４】図１３の構成の平面図である。
【図１５】図５乃至１４の処理と同じ処理であって、傾斜した反射面が生成された、処理を示す図である。
【図１６】図１５の構成の平面図である。
【図１７】図１５の処理ステップに続く処理ステップを示す図である。
【図１８】図１７の構成の平面図である。
【図１９】図１７の処理ステップの結果としての回路基板の最終を表す最終処理ステップを示す図である。
【図２０】図１９の構成の平面図である。
【図２１】図１９に従って完了された回路基板がＬＥＤを備えていることを示す図である。
【図２２】図２１の構成の平面図である。
【図２３】図２１に従ったＬＥＤの光ビーム方向を示す図である。
【図２４】図２３の構成の平面図である。
【図２５】上記の実施形態から修正された実施形態であって、反射性の反射面上の基本的な印刷は複数回行われ、より厚い層厚さを有する、実施形態を示す図である。
【図２６】図２５の構成の平面図である。
【図２７】図２５の構成におけるＬＥＤを示す図である。
【図２８】図２７の構成の平面図である。
【図２９】図２７の設置されたＬＥＤの光の方向を示す図である。
【図３０】図２９の構成の平面図である。
【図３１】修正されたミラー面による、図２９に従って設置されたＬＥＤの光の方向を示す図である。
【図３２】図３１の構成の平面図である。
【図３３】浸漬処理により塗布された下地層を有する導電的に製造された回路基板の第１の処理ステップの図５の実施形態から修正された実施形態を示す図である。
【図３４】図３３の構成の平面図である。
【図３５】光感応性膜が塗布された図３３の処理ステップに続く処理ステップを示す図である。
【図３６】図３５の構成の平面図である。
【図３７】光感応性膜が露出されている図３５の処理ステップに続く処理ステップを示す図である。
【図３８】図３７の構成の平面図である。
【図３９】図３７の処理ステップに続く処理ステップを示す図である。
【図４０】図３９の構成における平面図である。
【図４１】シルクスクリーン印刷によりリフレクタが塗布される図３９の処理ステップに続く処理ステップを示す図である。
【図４２】図４１の構成の平面図である。
【図４３】ＬＥＤが設置された図４１の処理ステップに続く処理ステップを示す図である。
【図４４】図４３の構成の平面図である。
【図４５】色変換層によりＬＥＤが変換される図４３の処理ステップに続く処理ステップを示す図である。
【図４６】図４５の構成の平面図である。
【図４７】図４５においてもたらされたＬＥＤの光ビーム経路を示す図である。
【図４８】図４７の構成における平面図である。
【図４９】図４７のリフレクタ面から修正されたリフレクタ面の実施形態を示す図である。
【図５０】図４９の構成の平面図である。
【図５１】複数のＬＥＤの設置のためのリフレクタ面を有する回路基板の断面図である。
【図５２】図５１の構成の平面図である。
【図５３】２つのＬＥＤの設置を示す、図５１の処理ステップに続く処理ステップを示す図である。
【図５４】図５３の構成における平面図である。
【図５５】付加的な色変換層を有する図５３の構成を示す、図５３の実施形態から更に進化した実施形態を示す図である。
【図５６】図５５の構成の平面図である。
【図５７】複数のミラー面を有する、本発明に従った回路基板の製造のための処理フローの模式図である。
【発明を実施するための形態】
【００１６】
図１に従って、下地層２が、上部面が構造化されるか否かに関係なく、回路基板１の上部面に適用される。
【００１７】
一部の実施形態においては、はんだマスク又は他の層が反射コーティング３のための下地として用いられることが可能である。
【００１８】
何れの場合も、反射層を支持する面（下地層２）が平滑な面を生成すること及び／又は積層された三次元的に形状化された反射面３のための良好な結合を生成することが保証される必要がある。
【００１９】
下地層２には、種々の印刷技術であって、特に、インクジェット印刷、シルクスクリーン印刷、パッド印刷、レリーフ印刷、グラビア印刷等の他の印刷方法が適用されることが可能である。回路基板のアセンブリについては、写真露光方法を含む適切な構造を生成するカーテンコーティング、ローラコーティング及び積層方法が特に知られている。それらの方法の全てが、成形された下地層の形成のためにそれらが別個に又は組み合わされて、本発明に対する原理として用いられ、必要とされる。
【００２０】
可視光の生成のためのリフレクタ面３は、印刷方法により好適に塗布される。反射コーティングは、速乾性インク金属成分、特に、銀、金、アルミニウム及び他の適切な金属全てを有する。同様に、特定の波長範囲で光を反射するために適切である非金属材料が用いられ、非可視光領域における波長範囲も用いられることが可能である。
【００２１】
塗布のために、インクジェット印刷、シルクスクリーン印刷、パッド印刷及び他の塗布印刷方法が特に用いられる。同様に、下地層２は、反射コーティング３の層状湿式化学的塗布のための後続の湿式塗布処理のための下地層としての役割を果たすことが可能である。この場合、例えば、銀の層が、後続の銅の電気メッキによる塗布のためのプライマコートとして用いられることが可能である。
【００２２】
他の変形においては、三次元形状化反射コーティング３が構造化写真露光により与えられる。
【００２３】
反射コーティング３の生成後、不所望の粗さが存在する場合、これは、電界研磨により又は湿式化学的平滑化により除去されることが可能である。
【００２４】
高効率の反射性を確立するように、そして下地層２への又は積層被覆層４への結合が可能であるように、反射コーティング３は複数の層から成るように備えられる。
【００２５】
本発明の他の設計においては、三次元形状化ミラーが予め調整され、続いて、回路基板の面に取り付けられることができる。
【００２６】
反射コーティング３の上の上記被覆層４は任意である。下地層２及び被覆層４は同じ材料から成ることが可能であるが、このことは必ずしも必要ない。被覆層４は透明である又は着色されていることが可能であり、若しくはカラーフィルタとしての役割を果たすことが可能である。
【００２７】
保護被覆層４の塗布は、機械的衝撃、化学的影響、気体、空気又は湿気による破壊又は損傷から反射コーティング３を保護する。被覆層４は、好適には、インクジェット印刷、シルクスクリーン印刷、塗布印刷及び何れかの他の印刷方法等の塗布方法により塗布されることが可能である。
【００２８】
被覆層４は反射コーティング３のみを覆うことが可能であり、又はそれは反射コーティング３及び下地層２を、若しくは反射コーティング３の一部のみを覆うことが可能である。
【００２９】
図２は、図１における構造の修正を示している。この場合も、図１に関連して説明している変形の全てがまた、ここで、用いられることが可能である。反射コーティング３の曲面化は、ポジ又はネガ（凸状又は凹状）であることが可能である。その曲率は、一次層を形状化することにより与えられる。他の変形においては、回路基板１自体が曲面化されることが可能である。この種の曲面化は、成形処理又は熱成形処理により得ることが可能である。
【００３０】
図３は、反射コーティング３の凹部６にＬＥＤチップを備えた、反射面を有する回路基板１の他の実施形態を示している。曲面化は、成形、スタンピング、ミリング又は他の機械的処理により得ることが可能である。
【００３１】
他の実施形態においては、曲面化は、インクジェット印刷又はパッド印刷等の塗布方法により得ることが可能である。この場合、下地層２ａ、２ｂ、２ｃは、所望の曲面化を得るように互いに積層される（図４を参照されたい）。
【００３２】
図３においては、ＬＥＤチップを収容するための唯一の凹部６を有する必要はない。他の実施形態においては、ＬＥＤチップを受け入れる若しくはリード又は他のコネクションに接続するための複数の凹部６が備えられることが可能である。
【００３３】
図５及び６は、回路基板基材１の積層構成を有する、完全なエレクトロニクスを有する多層回路基板であって、積層構成が通常、絶縁性合成材料、特に、樹脂を有する、多層回路基板を示している。
【００３４】
回路基板基材の積層構造においては、回路基板上に備えられる電子部品間の導電接続を形成する銅から成る複数の導体５が存在する。
【００３５】
本発明に従って、下に位置する絶縁性回路基板基材１が露出されるように、上部導体又は導体層５が特定の場所で凹部６を有するように与えられる。図６に従って、周囲において残りの導体５から分離され、ＬＥＤチップが後に設けられる回路基板面が故に、生成される。
【００３６】
前記ＬＥＤチップ８との接触を確立するように、更なる導体面が、上部導体層５における露出により周囲の導体から絶縁されている前記導体面に直接隣接しているボンディング面９として生成される。このボンディング面９は、残りの導体層５から電気的に絶縁されている導体５に電導的に接続されている。
【００３７】
この導体層５は、はんだマスクが未だにコーティングされていない。
【００３８】
図７及び８に従った続く処理ステップにおいては、はんだマスク７が、典型的な様式で上部導体層５に積層され、本発明に従って、インクジェット印刷処理を用いて、液体の硬化性インクから成る反射性の反射コーティング３が、電気的に絶縁するように上部導体層５をコーティングするものである前記はんだマスク７上に印刷される。
【００３９】
このために、インクジェット印刷ヘッド１０が、矢印１２の方向にはんだマスク７の上方で案内され、インクジェット印刷ヘッド１０は、ボンディング面９の周囲及びＬＥＤチップ８のための後の設置面の周囲の境界領域にインクジェット１１で正確に吹き付け塗布する。  このために、２つの面８及び９を囲む絶縁用の凹部６の領域に導電性インク１１が入らない正確な様式で、インクジェット印刷ヘッド１０が長手方向に且つディジタル的に制御された圧力を有して案内されることは、重要である。
【００４０】
このようにして、図８に従って、反射コーティング３が、面８及９を囲む囲み領域のみに、且つ面８及び９の周囲に広がる電気絶縁用の凹部６に接続しないで、もたらされる。
【００４１】
図９及び１０は、修正された実施形態であって、それにより、はんだマスク７上に印刷する必要がない、実施形態を示している。それに代えて、絶縁層１３が先ず、インクジェット処理により塗布されることが可能である。
【００４２】
代替として、絶縁層１３がまた、他のコーティング処理を用いて塗布されることが可能である。ここではまた、図７及び８について与えられている同じ説明が適用される。
【００４３】
同様に、絶縁性及び誘電性インクを好適に有する、絶縁層１３の下のはんだマスク７を備えることは有効である。
【００４４】
バー形状のインクジェット印刷ヘッド１０は何れの場合も、全体的な構成に亘って矢印１２の方向に左から右に移動し、凹部６の周囲の領域を正確にコーティングし、従って、面８及び９にはインクがないまま維持される。
【００４５】
図１１は、図９及び１０におけるステップを後続する処理ステップであって、インクジェット印刷処理により塗布された上部反射コーティング３上に、複数回印刷されることも可能である更なる保護コーティングが塗布される、処理ステップを示している。
【００４６】
このように、上部の潜在的な導電性の反射コーティング３は、環境から保護されて守られている。特に、反射コーティング３が、硬化されることが可能である銀インクを有する場合、保護コーティング１４は、反射コーティング３のための絶縁体としての役割を果たす。透明な設計に代えて、この保護コーティング１４はまた、半透明であることが、又は反射コーティング３から反射された光に色成分を与えるよう異なる色として設計されることが可能である。
【００４７】
この保護コーティング１４はまた、インクジェット印刷処理により好適に塗布される。  図１１及び１３は、保護コーティング１４が反射コーティング３の全体的な構成を好適に覆い、故に、回路基板の上部面への密封性の保護接続を得るように、エッジ１５を形成することを示している。
【００４８】
図１５は、図１３の実施形態の代替として、先ず、絶縁層１３の最初の層が、凹部６に対して垂直に境界壁を有して、回路基板の上部面に印刷されることを示している。
【００４９】
続いて印刷される導体層５は、しかしながら、凹部６に対して傾斜された壁を構成し、続いて塗布される絶縁層１３における複数の層もまた、凹部６の方に傾いている壁を構成し、故に、全体として、それらは、傾斜したリフレクタの壁を構成する。このようにして、傾斜した壁により、ＬＥＤが凹部６の領域に設けられるとき、フォーカシング効果がもたらされる。
【００５０】
図１７及び１８は、反射コーティング３が、本発明に従って、層５、１３の傾斜した壁に印刷され、故に、迅速に硬化するインク１１が壁１６の領域を移動し、従って、反射コーティング３は、凹部６の領域に設けられるＬＥＤのフォーカシング効果を与える傾斜したリフレクタ面を構成する。
【００５１】
図１９及び２０は、このようにして作製される完成されたリフレクタ構成が発光面８から外側に錐状に延びている壁１６を有するミラーリフレクタを有することを、示している。  図２１及び２２は、凹部６の領域に、ボンディング面９に対してボンディングワイヤ１７を有するリードを確立するＬＥＤチップが設けられていることを示している。
【００５２】
図２１は従って、回路基板が単独のＬＥＤ及び光フォーカシング反射コーティング３を完全に備えていることを示していて、そのことについては下で、図２３及び２４に基づいて詳細に説明される。
【００５３】
光を発するＬＥＤ８は先ず、上方の矢印１８により示している方向に光を直接発し、その光の一部は、傾斜している壁１６に横から達し、矢印１９の方向にそこから反射されることが理解できる。これは、側面からの光が傾斜している壁１６に衝突して、反射光として上方に偏向させることを可能にするように、光を発するＬＥＤがミラーリフレクタの傾斜した壁１６の下方に位置付けられることを必要とする。
【００５４】
図２５は、図２３及び２４における実施形態に対する代替の実施形態を示している。この場合、絶縁層としての下地層１３が複数回印刷され、故に、迅速に硬化される最初の絶縁層１３が印刷され、次いで、他の層が図２５の構造を得るようにその硬化された層の上に印刷されるように、印刷処理が常に実行されることが理解できる。
【００５５】
反射コーティング３が、上記のインクジェット印刷処理を用いて斯くして作り出された傾斜した壁１６上に印刷される。
【００５６】
ここで、最も大きい有効なミラー面を得るように、図２６に従って、反射コーティング３が領域８、９の全体を囲むことは重要である。
【００５７】
図２７及び２８は、処理ステップ２５に後続する更なる処理ステップであって、ＬＥＤチップ８が凹部６の領域に設けられ、そのＬＥＤチップが、隣接するボンディング面９にボンディングワイヤ１７により電導的に接続される、処理ステップを示している。
【００５８】
この実施形態により、図２９及び３０に従って、矢印方向１８において直接光が上方に直接発せられ、同様に、傾斜された壁１６により反射された光が、上方の矢印方向１９に発せられる。壁１６は必ずしも直線的に傾斜される必要はない。その壁１６は、放物線状にその壁１６を形状化し、故に、放物線状のリフレクタを得ることも可能である。
【００５９】
反射コーティング３の下に備えられた複数の層の層状構造及び本発明に従ったインクジェット印刷処理によって、何れかの任意の形状のミラー化された壁を得ることが可能である。
【００６０】
これはまた、図３１に示されていて、図２９と比べて、右側のリフレクタ面が平面的なリフレクタ面として形成されている一方、左側のリフレクタ面が上記の傾斜した壁１６を示していることは明らかである。
【００６１】
図３１の構成の場合、非対称的な光分布が得られる一方、図２９においては、対称的な光分布が得られる。
【００６２】
平面的な反射面２０を除いて、その場合、傾斜した反射面２１を得ることも可能である。
【００６３】
図３３及び３４は、上記の実施形態とは異なり、インクジェット印刷処理を用いて絶縁層を印刷することは必要ない。
【００６４】
この実施形態においては、下地層２２が、浸漬処理を用いて回路基板の被覆層４の表面に塗布される。この場合、その実施形態は、全体的な回路基板を被覆し、後のリフレクタ構造のための下地層２２を構成する、硬化されることが可能である合成物質を用いる。
【００６５】
図３５及び３６に従って、光感応性膜２３が前記下地層２２に塗布され、それはマスクとして適切に適合して備えられ、故に、設置処理のための層を必要とする面８、９は露出されたまま保たれる。
【００６６】
図３７及び３８に従って、光感応性膜２３はＵＶ露光２４により照射され、図３９及び４０に従って、化学的に現像される。このようにして、凹部の領域の面８、９に適切に適合した光基板２５が形成される。
【００６７】
図４１及び４２に従って、この光基板２５は、その場合、シルクスクリーン印刷処理で反射コーティング３が塗布される。
【００６８】
このために、スクリーンが凹部６の周囲領域及び面８、９の周囲領域において選択されるように、対応するスクリーンマスクによりスクリーン２６がコーティングされる一方、残りのエッジ領域においてはコーティングされないまま保たれ、その塗布について、広がり方向２９に広がりナイフ２７によりスクリーン２６のオープン領域を通るようにされたリフレクタカラー（ｒｅｆｌｅｃｔｏｒ  ｃｏｌｏｒ）２８が与えられる。このようにして、凹部６及び面８、９の周囲領域のみが、シルク印刷処理を用いて反射コーティング３がコーティングされる。
【００６９】
図４３及び４４は、ここで、ＬＥＤ８の設置が行われ、ボンディングワイヤ１７がボンディング面９に電導的に接続されることを示している。
【００７０】
図４５及び４６は、図４３と比較して更に進化した実施形態において、図４３及び４４の構成全体に色変換層３０がコーティングされることが可能であることも示している。
【００７１】
この場合、この色変換層は硬化することが可能な透明な合成物質であり、着色顔料を有し、故に、ＬＥＤから発せられる光を他の色に変換することができる。
【００７２】
このために、色変換層は、ＬＥＤの構造の上に半球状に備えられ、反射性の反射コーティング３の一部を覆うことは好適である。
【００７３】
このようにして、ＬＥＤからの直接光及び反射コーティングにより反射された光の両方が色変換層３０を通り、故に、そこでの光の色値の高い有効な変化に寄与することが保証される。
【００７４】
この種の光経路は図４７及び４８に示されていて、その場合、ＬＥＤ８から発せられた光が、直接光として色変換層３０を通り抜け、並びに、色変換層３０の内側面に対する反射光１９として先ず反射され、続いて、再び反射コーティング３で反射され、続いて、非直接光として矢印１９の方向に色変換層を通り抜けることが理解できる。
【００７５】
このようにして、偏向された光は、色変換層３０内での散乱により、反射コーティング３の平面的な反射面２０に達する。
【００７６】
図４９及び５０は、上記の矩形状又は二次曲面ミラー面を除いて、何れかの他の形状にミラー面の形状を変えることが可能であることを示している。このために、図５０は、この種のミラー面（平面的な反射面２０）が楕円形状であることも可能であることを示している。
【００７７】
この構成は、色変換層３０がコーティングされることも可能である。
【００７８】
図５１及び５２は、上記実施形態の全てに関係し、上記実施形態の全てに加えて、付加的な可能性として、複数のＬＥＤがこの種の凹部に、又は、必要に応じて、回路基板完成体における複数の凹部に備えられることが可能である。従って、反射コーティング３の種類及び構成は、各々のＬＥＤ面８がボンディング面９に割り当てられることができるように、修正される。
【００７９】
これについては、図５３及び５４に示している。全部で２つのＬＥＤが備えられていて、それらは、隣接するボンディング面９にそれぞれのボンディングワイヤで接続が別個に確立されている。平面的な反射面２０としてここで示しているミラー面を除いて、上記の反射面の実施形態全てを用いることも可能である。
【００８０】
同様に、その実施形態は、図５５及び５６に従って、複数のＬＥＤが別個の色変換層３０で各々覆われることが可能であることを示している。
【００８１】
このように、必要に応じて、異なる光の色を有する複数のＬＥＤが反射面２０上に備えられることが可能であり、更に、それらのＬＥＤは各々、共通の色変換層の下に又は別個の色変換層の下に備えられることが可能である。このように、広い範囲の所望の光の色から設定される色をもたらすこの構成により付加的な色変換層を有する異なる色のＬＥＤを有することが可能である。
【００８２】
図５７は、本発明の方法に従った処理フローを示す模式図である。
【００８３】
処理ステップ３１乃至３３においては、回路基板の製造で、処理ステップ３１での最後の製造処理の後に、処理ステップ３２で先ず、洗浄され、続いて、リフレクタは、処理ステップ３３での印刷処理で塗布される。
【００８４】
このように調整される回路基板は、ここで、しかるべく処理される。
【００８５】
完全なリフレクタが既に備えられた、この時点で完成されている回路基板はここで、処理ステップ３４で、顧客のところに送られて、洗浄される。
【００８６】
ＬＥＤを備え、部品をはんだ付けし、ボンディングすることは、処理ステップ３５乃至３７で行われる。
【００８７】
必要に応じて、色変換層３０を塗布する処理ステップ３８が、処理ステップ３７に続いて行われる。処理ステップ３９及び４０は、顧客による回路基板の更なる処理のためのものである。
【００８８】
ＬＥＤチップに代えて、光を捕捉するためのフォトダイオードが用いられることが可能である。このアプリケーションにおいては、曲面化されたミラーが、フォトダイオードに達する光をフォーカシングするために用いられることが可能である。
【００８９】
要約すると、高効率のミラーが従来の回路基板の面に直接適用されることが決定された。従って、下地層の構造に依存して、光偏向又はフォーカシングのための平面的なミラー又は曲面化されたミラーが形成されることが可能である。保護被覆層４の実施の結果として、環境の影響、反射コーティング３の膨張又は腐食の危険性が回避できる。
【００９０】
本発明の適用分野は、従って、標準的な回路基板、及びセンサ、例えば、フォトダイオードが備えられた回路基板に関連する。同様に、レーザダイオードが、特定の方向に発せられたビームを方向付ける又はフォーカシングするために用いられることが可能である。 故に、本発明に従った回路基板の特徴は、次のようにまとめられる。
１．全ての層２、３及び４（少なくとも層３）ははんだ耐性を有する必要がある。
２．三次元リフレクタを構成する下地層２又は複数の下地層２ａ乃至２ｃはエポキシ樹脂であることが可能である。
３．後のミラー層３（パラジウム等）が準備され、続いて、ミラーメッキにより、即ち、電気化学的に又はメッキによりコーティングされる。この場合、被覆層４が必ず必要である。
４．この被覆層４は、はんだ層にも拘わらず、高い透明度が保たれる必要があり、これは、勿論、透明なはんだマスクラッカ、例えば、プロバイマー（ｐｒｏｂｉｍｅｒ）（登録商標）であることが可能である。
５．放物線形状のリフレクタのために、ＬＥＤエミッタが、略焦点に位置付けられることが可能である。
６．更に、リフレクタは一般に、波長特有の反射を有するため、反射コーティング３のリフレクタ材料は色変換又は色変調をもたらすことも可能である。
【００９１】
本発明の有利点は、ＬＥＤ範囲に対する回路基板の反射性が基本的に改善されることである。従来の白色はんだマスクを用いる場合には、２０乃至６０％のみの反射率が得られる一方、本発明の技術的教示によると、９０乃至９５％の反射率を得ることが可能である。
【００９２】
反射率は、ＬＥＤにより発せられる光の波長にも依存する。
【００９３】
本発明の技術的教示により、回路基板上に備えられた従来のＬＥＤの光収率及び光密度がかなり改善される。
【図１】
0005889781.tif 000002
【図２】
0005889781.tif 000003
【図３】
0005889781.tif 000004
【図４】
0005889781.tif 000005
【図５】
0005889781.tif 000006
【図６】
0005889781.tif 000007
【図７】
0005889781.tif 000008
【図８】
0005889781.tif 000009
【図９】
0005889781.tif 000010
【図１０】
0005889781.tif 000011
【図１１】
0005889781.tif 000012
【図１２】
0005889781.tif 000013
【図１３】
0005889781.tif 000014
【図１４】
0005889781.tif 000015
【図１５】
0005889781.tif 000016
【図１６】
0005889781.tif 000017
【図１７】
0005889781.tif 000018
【図１８】
0005889781.tif 000019
【図１９】
0005889781.tif 000020
【図２０】
0005889781.tif 000021
【図２２】
0005889781.tif 000022
【図２４】
0005889781.tif 000023
【図２５】
0005889781.tif 000024
【図２６】
0005889781.tif 000025
【図２７】
0005889781.tif 000026
【図２８】
0005889781.tif 000027
【図２９】
0005889781.tif 000028
【図３０】
0005889781.tif 000029
【図３１】
0005889781.tif 000030
【図３２】
0005889781.tif 000031
【図３３】
0005889781.tif 000032
【図３４】
0005889781.tif 000033
【図３５】
0005889781.tif 000034
【図３６】
0005889781.tif 000035
【図３７】
0005889781.tif 000036
【図３８】
0005889781.tif 000037
【図３９】
0005889781.tif 000038
【図４０】
0005889781.tif 000039
【図４１】
0005889781.tif 000040
【図４２】
0005889781.tif 000041
【図４３】
0005889781.tif 000042
【図４４】
0005889781.tif 000043
【図４５】
0005889781.tif 000044
【図４６】
0005889781.tif 000045
【図４７】
0005889781.tif 000046
【図４８】
0005889781.tif 000047
【図４９】
0005889781.tif 000048
【図５０】
0005889781.tif 000049
【図５１】
0005889781.tif 000050
【図５２】
0005889781.tif 000051
【図５３】
0005889781.tif 000052
【図５４】
0005889781.tif 000053
【図５５】
0005889781.tif 000054
【図５６】
0005889781.tif 000055
【図５７】
0005889781.tif 000056
【図５８】
0005889781.tif 000057
【図２１】
0005889781.tif 000058
【図２３】
0005889781.tif 000059